(57)【要約】【課題】部品点数を少なくしても剛性を維持して配索する。【解決手段】フレキシブルフィルム状ハーネス１は、帯状の本体部１５と、直線状に配索すべき部分１１に形成された、この本体部１５の幅方向に延出した延出部１４を折り返してなる折返し部１３とを備えて構成されている。折返し部１３は、筒状空間１２を有し、テープ３などでその折返し状態を保持して形成されている。これにより、従来の樹脂棒を用いなくても同程度の剛性を維持して配索することができる。【選択図】　図１
2004104869.tif 000002
【特許請求の範囲】
【請求項１】
絶縁フィルム上に導体をラミネートしてなるフレキシブルフィルム状ハーネスの被取付部材への配索構造であって、
前記フレキシブルフィルム状ハーネスは、
帯状に形成された本体部と、
この本体部の長手方向の所定範囲から前記本体部の幅方向に延出する延出部とを備え、
前記延出部を前記本体部側に、前記長手方向に沿って筒状空間が形成されるように折り返し、この折返し状態を保持部材により保持して折返し部を形成し、
前記フレキシブルフィルム状ハーネスの所定位置に取付部材が取り付けられ前記被取付部材に前記取付部材が取り付けられて配索されている
ことを特徴とするフレキシブルフィルム状ハーネスの配索構造。
【請求項２】
前記フレキシブルフィルム状ハーネスは、前記絶縁フィルムと、エッチングにより形成された前記導体とを組み合わせた構造からなるものであることを特徴とする請求項１記載の配索構造。
【請求項３】
前記フレキシブルフィルム状ハーネスは、前記絶縁フィルムと、打ち抜きにより形成された前記導体とを組み合わせた構造からなるものであることを特徴とする請求項１記載の配索構造。
【請求項４】
前記保持部材は、前記折返し部から前記本体部にわたって貼り付けられるテープであることを特徴とする請求項１〜３のいずれか１項記載の配索構造。
【請求項５】
前記被取付部材には、前記取付部材と対応する位置に穴部が形成され、
前記取付部材は、前記穴部に係合するアンカークリップであることを特徴とする請求項１〜４のいずれか１項記載の配索構造。
【請求項６】
前記取付部材は、接着剤であることを特徴とする請求項１〜４のいずれか１項記載の配索構造。
【発明の詳細な説明】
【０００１】
【発明の属する技術分野】
この発明は、自動車のフレーム等の被取付部材に配索され、ランプやモータ等の電装部品間を接続するフレキシブルフィルム状ハーネスの配索構造に関し、特に部品点数を少なくしても剛性を維持することができるフレキシブルフィルム状ハーネスの配索構造に関する。
【０００２】
【従来の技術】
図６（ａ）に示すように、ワイヤハーネス１００を自動車のフレーム等の被取付部材（図示せず）に配索する場合、直線状に配索すべき所定部分１０１については、例えば樹脂棒１０２をその部分に介添えさせてテープ１０３などで固定し、剛性を向上させると共に、ワイヤハーネス１００の所定位置に取付部材としての複数のクリップ１０４を取り付けて被取付部材にクリップ１０４を取り付けることにより配索している（例えば、特許文献１、２及び３参照。）。これは、絶縁フィルム上に導体を形成したフレキシブルフィルム状ハーネスを配索する場合においても同様に行われている。なお、同図（ｂ）に示すように、クリップ１０４には、例えばアンカー部１０５が形成されており、このアンカー部１０５が被取付部材に嵌合し、ワイヤハーネス１００が配索される構造となっている。
【０００３】
【特許文献１】
特開平９−２００９２７号公報（第４−６頁、第１−９図）
【特許文献２】
特開２０００−２８５７３８号公報（第２頁、第１０−１１図）
【特許文献３】
特開２０００−２９５７３２号公報（第４−５頁、第１−１６図）
【０００４】
【発明が解決しようとする課題】
しかしながら、このように樹脂棒１０２を介添えさせてワイヤハーネス１００の所定部分１０１を直線状に保持して配索するには、ワイヤハーネス１００の他に別途樹脂棒１０２などの部品が必要となると共に、樹脂棒１０２の取付作業も必要となるため、部品コストがかさみ作業工数が多くなるという問題がある。
【０００５】
この発明は、このような問題点に鑑みてなされたもので、部品点数を少なくしても剛性を維持することができるフレキシブルフィルム状ハーネスの配索構造を提供することを目的とする。
【０００６】
【課題を解決するための手段】
この発明に係るフレキシブルフィルム状ハーネスの配索構造は、絶縁フィルム上に導体をラミネートしてなるフレキシブルフィルム状ハーネスの被取付部材への配索構造であって、前記フレキシブルフィルム状ハーネスは、帯状に形成された本体部と、この本体部の長手方向の所定範囲から前記本体部の幅方向に延出する延出部とを備え、前記延出部を前記本体部側に、前記長手方向に沿って筒状空間が形成されるように折り返し、この折返し状態を保持部材により保持して折返し部を形成し、前記フレキシブルフィルム状ハーネスの所定位置に取付部材が取り付けられ前記被取付部材に前記取付部材が取り付けられて配索されていることを特徴とする。
【０００７】
この発明によれば、フレキシブルフィルム状ハーネスに備えられた延出部を本体部側に折り返して折返し部を形成したうえで被取付部材に配索することで、従来の樹脂棒等の部品を不要としつつも剛性を維持して配索することが可能となる。このため、部品点数を少なくしても直線状に配索する必要がある部位に剛性を従来通り維持してフレキシブルフィルム状ハーネスを配索することができる。
【０００８】
なお、フレキシブルフィルム状ハーネスは、例えば絶縁フィルムと、エッチングにより形成された導体とを組み合わせたいわゆるフレキシブルプリント回路（ＦＰＣ）構造からなるものでも、絶縁フィルムと、打ち抜きにより形成された導体パターンとを組み合わせたいわゆるフレキシブルフラットケーブル（ＦＦＣ）構造からなるものでも良い。
【０００９】
また、保持部材は、折返し部から本体部にわたって貼り付けられるテープであることが好ましい。
【００１０】
なお、被取付部材には、例えば取付部材と対応する位置に穴部が形成され、この場合取付部材は、穴部に係合するアンカークリップであることが好ましい。
【００１１】
また、取付部材は、接着剤であっても良い。
【００１２】
【発明の実施の形態】
以下、添付の図面を参照して、この発明の好ましい実施の形態を説明する。
図１は、この発明の一実施形態に係るフレキシブルフィルム状ハーネスの配索構造を説明するためのフレキシブルフィルム状ハーネスの全体図、図２は、フレキシブルフィルム状ハーネスの一部拡大図及びＡ−Ａ´断面図、図３は、フレキシブルフィルム状ハーネスの一部展開図である。
【００１３】
図１に示すように、フレキシブルフィルム状ハーネス１は、例えば帯状の本体部１５の両端部に電装部品等のコネクタと嵌合されるコネクタ２ａ，２ｂと、所定位置にテープ３で取り付けられた取付部材としての取付クリップ４と、コネクタ２ａ，２ｂの近傍を保護するチューブ保護材５ａ，５ｂと、所定位置を保護するコルゲートチューブ６とを備えて構成されている。フレキシブルフィルム状ハーネス１は、その可撓性を生かし、自動車のフレーム等の図示しない被取付部材の形状に合わせて、所定の折り曲げ箇所７ａ，７ｂを折り曲げるなどして形状が整えられている。
【００１４】
図２（ｂ）に示すように、フレキシブルフィルム状ハーネス１は、例えばポリエチレンテレフタレート（ＰＥＴ）、ポリエチレンナフタレート（ＰＥＮ）、ポリイミド（ＰＩ）及びポリオレフィン（ＰＯ）等の絶縁樹脂フィルムからなるベースフィルム８の上に、銅箔等の導電材をパターン形成してなる配線９を形成し、これらベースフィルム８及び配線９の上に合成樹脂等からなるカバーレイ１０を被せた構造からなる。なお、この例ではフレキシブルフィルム状ハーネス１は、ベースフィルム８上に配線９をエッチングにより形成したいわゆるフレキシブルプリント回路（Ｆｌｅｘｉｂｌｅ　Ｐｒｉｎｔｅｄ　Ｃｉｒｃｕｉｔｓ：ＦＰＣ）構造からなるものであるが、他にも、ベースフィルム８上に打ち抜きにより形成した配線９を貼り付けたり、ベースフィルム８とカバーレイ１０とを配線９にラミネートしたり、細線を潰して平角線とし、これをベースフィルム８にラミネートしたいわゆるフレキシブルフラットケーブル（Ｆｌｅｘｉｂｌｅ　Ｆｌａｔ　Ｃａｂｌｅ：ＦＦＣ）構造からなるものでも良い。
【００１５】
図２（ａ）に示すように、このフレキシブルフィルム状ハーネス１は、直線状に配索すべき部分１１に筒状空間１２を有する折返し部１３を備えている。この折返し部１３は、図３に示すように、フレキシブルフィルム状ハーネス１の本体部１５の長手方向の所定範囲から幅方向に延出された延出部１４（この延出部１４は、例えばベースフィルム８を延出させてなる。）を、本体部１５側に丸めるように折り返して形成され、その折返し状態を保持部材としてのテープ３により保持して構成されている。これにより、フレキシブルフィルム状ハーネス１の直線状に配索すべき部分１１の剛性を、従来の樹脂棒を用いた場合と同程度に維持することができる。なお、取付クリップ４には、例えば被取付部材に形成された取付穴に嵌合するアンカー部４ａが形成されているため、テープ３で取り付けられた取付クリップ４を被取付部材に取り付けるだけでフレキシブルフィルム状ハーネス１を容易に配索することができる。また、取付クリップ４の他に、取付部材として接着剤等を直接フレキシブルフィルム状ハーネス１に塗布して被取付部材に取り付けても良い。
【００１６】
このように、フレキシブルフィルム状ハーネス１に折返し部１３を備えて配索するため、直線状に配索すべき部分１１について樹脂棒等の部品が不要となる。このため、この配索構造によれば、配索のための部品点数を少なくすることができる。
【００１７】
なお、折返し部１３を、図４に示すような筒状空間１２を有するように延出部１４を本体部１５側に一回折り返した状態でテープ３で保持し形成するようにしても良い。このようにしても、所望の剛性を得ることができる。
【００１８】
また、保持部材として両面接着テープを用いても良く、その場合折返し部１３を、図５に示すように両面接着テープ１６により延出部１４を本体部１５に接着して形成するようにしても良い。
【００１９】
【発明の効果】
以上述べたように、この発明によれば、フレキシブルフィルム状ハーネスに備えられた延出部を本体部側に折り返して折返し部を形成したうえで被取付部材に配索することで、従来の樹脂棒等の部品を不要としつつも剛性を維持して配索することが可能となる。このため、部品点数を少なくしても直線状に配索する必要がある部位に剛性を従来通り維持してフレキシブルフィルム状ハーネスを配索することができるという効果を奏する。
【図面の簡単な説明】
【図１】この発明の一実施形態に係るフレキシブルフィルム状ハーネスの配索構造を説明するためのフレキシブルフィルム状ハーネスの全体図である。
【図２】同フレキシブルフィルム状ハーネスの一部拡大図及びＡ−Ａ´断面図である。
【図３】同フレキシブルフィルム状ハーネスの一部展開図である。
【図４】他のフレキシブルフィルム状ハーネスの一部断面図である。
【図５】他のフレキシブルフィルム状ハーネスの一部断面図である。
【図６】ワイヤハーネスの配索構造を説明するためのワイヤハーネスの全体図及び一部拡大図である。
【符号の説明】１…フレキシブルフィルム状ハーネス、２ａ，２ｂ…コネクタ、３…テープ、４…取付クリップ、５…チューブ保護材、６…コルゲートチューブ、８…ベースフィルム、９…配線、１０…カバーレイ、１２…筒状空間、１３…折返し部、１４…延出部、１５…本体部、１６…両面接着テープ。
【図１】
2004104869.tif 000003
【図２】
2004104869.tif 000004
【図３】
2004104869.tif 000005
【図４】
2004104869.tif 000006
【図５】
2004104869.tif 000007
【図６】
2004104869.tif 000008